(57)【要約】【課題】開閉扉下部の軸着部を球入口内の入賞口の上面よりも下方に配置することによって、装置本体の上下寸法を極力短くし狭いスペースにも容易に装着できる遊技球入賞装置を提供する。【解決手段】球入口２が開設される取付板１と、下部で軸着され前後に回動して球入口２を開閉する開閉扉１８と、球入口２内に入ったパチンコ球Ｂを入賞させる入賞口７ａ，７ｂと、入賞口７ａ，７ｂの下側に水平に配置され該入賞口７ａ，７ｂに入賞したパチンコ球を検出する球検出器８とを備えた遊技球入賞装置Ａであって、前記開閉扉１８の軸着部１９，２４を入賞口７ａ，７ｂの上面よりも下方に配置し、開閉扉１８の裏側には該開閉扉１８が前側に傾倒したとき上面で受け止められるパチンコ球Ｂを転動させて球入口２内へ円滑に送り込む案内部２１，５３ａを設けた構成からなる。【選択図】  図４
2004357930.tif 000002
【特許請求の範囲】
【請求項１】
球入口が開設される取付板と、下部で軸着され前後に回動して前記球入口を開閉する開閉扉と、前記球入口内に入ったパチンコ球を入賞させる入賞口と、前記入賞口の下側に配置され該入賞口に入賞したパチンコ球を検出する球検出器とを備えた遊技球入賞装置であって、前記開閉扉の軸着部を前記入賞口の上面よりも下方に配置し、前記開閉扉の裏面には該開閉扉が前側に傾倒したとき上面で受け止められるパチンコ球を転動させて球入口内へ円滑に送り込む案内部を設けたことを特徴とする遊技球入賞装置。
【請求項２】
前記案内部は前記開閉扉と別体に設けられている請求項１記載の遊技球入賞装置。
【請求項３】
前記案内部は前記開閉扉に一体に設けられている請求項１記載の遊技球入賞装置。
【請求項４】
前記球入口の上下寸法はパチンコ球の直径の２倍とほぼ同じ寸法に設定され、かつ前記球入口の下縁が前記球検出器の下面と同一高さ位置となる請求項１又は２又は３記載の遊技球入賞装置。
【発明の詳細な説明】
【０００１】
【発明の属する技術分野】
本発明は、遊技盤面に取り付けられる取付板に球入口を開設すると共に該球入口に前後に回動して前記球入口を開閉する開閉扉を装着した遊技球入賞装置に関するものである。
【０００２】
【従来の技術】
この種遊技球入賞装置は、例えば遊技盤面に可変表示装置と共に使用され、該可変表示装置の前面表示部の表示が変動し一定時間経過後に停止して特定の組合せに揃ったとき球入口を開成して一度に多くの入賞球が得られるように動作する。このような遊技球入賞装置である入賞装置としては、例えば遊技盤面に取り付けられる前基板に横長の大入賞口を開設し、この大入賞口に適宜駆動手段により開閉駆動機構を介し前後に回動して前記大入賞口を開閉する開閉部材を軸着し、大入賞口内にはパチンコ球が入賞する第１・２通出口を設けており、また、その真下に接するようにして検出スイッチを水平に配置したものがある。前記開閉部材の下部の軸着部は第１・２通出口の上面よりも上方に配置されている（特許文献１参照。）。
【０００３】
【特許文献１】
特開平８−８４８１３号公報（第３−４頁、図１，図６）
【０００４】
【発明が解決しようとする課題】
ところで、遊技盤のほぼ中央に配置される可変表示装置は顧客の興味を引き遊技の興趣を高めるために年々大型化する傾向にあり、その影響を受けて前記可変表示装置下方の入賞装置を装着するスペースが徐々に狭くなってきている。このため、入賞装置の上下寸法を極力短くする努力がなされている。前記特許文献１に示されるような入賞装置にあっても、その本体サイズに合わせて開閉部材を作動させる開閉駆動機構などを前後横向きに組付けるなどして上下寸法を短くしているが、まだ改良できる余地が残されている。
【０００５】
そこで、本発明は上記課題に鑑みてなされたもので、開閉扉下部の軸着部を球入口内の入賞口の上面よりも下方に配置することにより装置本体の上下寸法を極力短くして、狭いスペースにも容易に装着できるようにした遊技球入賞装置を提供することを目的とするものである。
【０００６】
【課題を解決するための手段】
かかる目的を達成するため、本発明の遊技球入賞装置は、球入口が開設される取付板と、下部で軸着され前後に回動して前記球入口を開閉する開閉扉と、前記球入口内に入ったパチンコ球を入賞させる入賞口と、前記入賞口の下側に配置され該入賞口に入賞したパチンコ球を検出する球検出器とを備えた遊技球入賞装置であって、前記開閉扉の軸着部を前記入賞口の上面よりも下方に配置し、前記開閉扉の裏側には該開閉扉が前側に傾倒したとき上面で受け止められるパチンコ球を転動させて球入口内へ円滑に送り込む案内部を設けた構成からなる。
【０００７】
通常、パチンコ遊技機の前面に装着され遊技盤の前面を覆う透明板保持枠の透明板から遊技盤の前面までの距離は所定の寸法に設定されている。また、開閉扉は下部の支軸を支点にして前側へ傾倒したとき、その上端縁が前記透明板保持枠の透明板からほぼ５ｍｍ以内に位置するようになっている。これは、その間に直径約１１ｍｍのパチンコ球が載ってしまい開閉扉の回動動作に支障を来たさないようにするためである。更に、開閉扉の下部の軸着部が入賞口の上面よりも上方に位置し、入賞口の下方に球検出器が配置されていることから、前記開閉扉を下げる余地が残されている。すなわち、本発明は開閉扉の軸着部を入賞口の上面よりも下方に配置し、前記開閉扉の裏面に該開閉扉が前側へ傾倒したとき上面で受け止められるパチンコ球を転動させて球入口内へ円滑に送り込む案内部を設けるようにしたので、装置本体の上下寸法を極力短くすることができ、狭いスペースにも遊技球入賞装置が容易に装着できる。前記案内部は開閉扉と別体でも良く一体でも良い。
【０００８】
例えば、前記球入口の上下寸法をパチンコ球の直径の２倍とほぼ同じ寸法に設定し、かつ前記球入口の下縁を前記球検出器の下面と同一高さ位置となるようにすることが好ましい。
【０００９】
【発明の実施の形態】
以下、本発明に係る遊技球入賞装置の実施の形態を図面に基づき説明する。図１は遊技球入賞装置の斜視図、図２は同分解斜視図、図３は同一部切欠平面図である。図において、１は後記する遊技盤４２の前面に取り付けられる取付板であり、横長に成形されると共にほぼ中央に同じく横長方形状の球入口２が開設される。前記取付板１の裏側には、前記球入口２を囲うようにして略直方体形状をなすと共に前後端面が開放する空洞のケース体３が配設される。このケース体３の上下寸法は取付板１の同寸法よりも少し短く設定されている。
【００１０】
前記ケース体３の後端面に前記ケース体３の後面を覆うようにして覆い枠３ａが取着され、更にその裏側に前記覆い枠３ａの裏側を覆うようにして裏板３ｂが取着されている。そして、前記球入口２と連通する覆い枠３ａ内には、図４に示すように天板４ａと底部の誘導板４ｂと両内側板４ｃ，４ｃと後方の中間板４ｄとにより囲まれる球誘導部５が成形され、この球誘導部５の後側に前記中間板４ｄに設けられた球通口６を介し連通させて一般入賞口７ａと特別入賞口７ｂとが左右に並置されている。また、これら一般・特別入賞口７ａ，７ｂの下側にそれぞれ球検出器８，８が水平に配置され、これら球検出器８，８により入賞したパチンコ球が検出される。
【００１１】
前記特別入賞口７ｂの外側近傍には、前後端部を前記中間板４ｄ及び覆い枠３ａ前側の仕切壁９に支持する支軸１０がほぼ水平に配置され、この支軸１０に止部材１１が上下方向に自在に回動するように遊嵌されている。止部材１１は、前記支軸１０に遊嵌される軸筒部１１ａとその外周面一側に長手方向に沿って張設される止板部１１ｂとからなり、常に止板部１１ｂがその自重で下がる方向へ回動するように付勢されている。一方、前記止部材１１の後端部には軸筒部１１ａと直交する支持片１２が設けられ、その後面に軸筒部１１ａと平行をなしかつ後方へ突出する係合杆１３が設けられている。前記覆い枠３ａの中央部に上部と後部及び一側が開放されるようにして設けられた凹窪部１４内に第一電磁ソレノイド１５が横向きに配置される。この第一電磁ソレノイド１５のプランジャー１６先端に該第一電磁ソレノイド１５の周囲を囲うようにして平面コ字状の作動枠１７が取着され、その作動枠１７の先端に作動板１７ａが設けられている。この作動板１７ａは前記プランジャー１６と直交するようにして配置され、第一電磁ソレノイド１５の励・消磁動作に伴いそのプランジャー１６の進退方向に沿って往復動するようになっている。そして、前記止部材１１の係合杆１３が作動板１７ａの外側面に当接するようになっている。
【００１２】
前記止板部１１ｂは特別入賞口７ｂ側に配置される。前記第一電磁ソレノイド１５は常には消磁しており、このとき図５実線に示すように止板部１１ｂは特別入賞口７ｂの上面とほぼ平行となって、特別入賞口７ｂの上面までの距離がパチンコ球Ｂの直径よりも短い寸法になっている。また、この状態では、止板部１１ｂの前端縁の外側が球通口６の一側に臨み、球通口６に流入したパチンコ球Ｂが特別入賞口７ｂに入賞するのを阻止するようにしている。一方、第一電磁ソレノイド１５が励磁すると、プランジャー１６が巻装されるスプリングの付勢に抗して収縮し、作動板１７ａが係合杆１３を外側へ押動する。これに伴い図５鎖線に示すように止部材１１が止板部１１ｂの自重に抗し回動してその止板部１１ｂの外側縁を上方へ跳ね上げる。この状態では、止板部１１ｂと特別入賞口７ｂの上面との距離がパチンコ球Ｂの直径よりも広がり、球通口６に流入したパチンコ球Ｂが特別入賞口７ｂにも入賞することになる。
【００１３】
前記取付板１の球入口２には、前後に回動して該球入口２を開閉する開閉扉１８が装着される。更に詳しく説明すると、開閉扉１８は球入口２とほぼ同じ大きさからなり、その両側下端部の裏面に側面Ｌ字状となるように補助部材１８ａが突設されている。開閉扉１８の両側下端部の側面に軸着部としての軸孔１９が設けられている。また、一方の補助部材１８ａの一側外側に係止ピン２０が突設される。更に、前記開閉扉１８の裏面には添うようにして案内部としての案内板２１が開閉扉１８と別体に配置される。これにより、開閉扉１８が前側に傾倒したとき案内板２１の上面で受け止められるパチンコ球を転動させて球入口２内へ円滑に送り込むようにしている。この案内板２１の両側下部にも軸孔２２が設けられている。一方、前記取付板１側にはその裏面に球入口２の両側に位置してそれぞれ当板２３，２３が固着され、これら各当板２３の内端縁に前記各軸孔１９，２２に遊挿される軸着部としての軸ピン２４および軸ピン２５がそれぞれ一直線上に突設されている。開閉扉１８の軸着部である軸孔１９は球入口２の下端部に位置し、しかも、前記一般・特別入賞口７ａ，７ｂの上面よりも下方に配置されている。案内板２１の軸孔２２は前記開閉扉１８の軸孔１９よりも少し上部に配置されている。
【００１４】
図６に示すように前記覆い枠３ａの一側、すなわち開閉扉１８における係止ピン２０側に第二電磁ソレノイド２６が配置される。この第二電磁ソレノイド２６は覆い枠３ａの一側下部から外側へ突設される細幅板状の保持板２７の裏側に固着され、前方へ突出するプランジャー２８が前記保持板２７から前側ヘ突出する受板２９に沿って前後動するようになっている。受板２９の上面前端にはその左右両側に規制片３０，３０が所定の間隔離して突設される。前記プランジャー２８の前端に摺動板３１が取着され、その前面に前方へ突出するようにして２本の平行かつ水平な掛止杆３２，３２が設けられると共にそれら下面に掛止凹部３３を有する。摺動板３１は第二電磁ソレノイド２６と両規制片３０，３０との間で前後動し、両掛止杆３２，３２が前記両規制片３０，３０間から前方ヘ突出するようになっている。
【００１５】
また、ケース体３の一側であって前記第二電磁ソレノイド２６が配置される側と同じ側にレバー部材３４が配置される。このレバー部材３４は前記第二電磁ソレノイド２６と開閉扉１８とを繋げるためのもので、側面略Ｌ型を成すと共に中央部両側に支軸３５が一直線状に突設され、前記ケース体３の一側に設けられる左右一対の軸受部３６，３６によって支軸３５が水平に支持される。これにより、レバー部材３４が支軸３５を支点にして前後に回動する。そして、上側の腕片３７ａの先端両側に前記各係止凹部３３に嵌入する係止杆３８が突設される。また、下側の腕片３７ｂの先端部は二股に分かれて係止溝３９が設けられ、この係止溝３９に前記開閉扉１８の係止ピン２０が介入する。そこで、第二電磁ソレノイド２６が消磁しているときは、そのプランジャー２８が巻装されるスプリングの付勢により前側へ突出してレバー部材３４を前側へ回動させると共に係止溝３９を下方へ下げる。これにより、係止ピン２０が下方へ下がり開閉扉１８が起立して球入口２を閉成する。これに対し、第二電磁ソレノイド２６が励磁すると、そのプランジャー２８が巻装されるスプリングの付勢に抗して収縮しレバー部材３４を後側へ回動させると共に係止溝３９を上方へ上げる。これにより、係止ピン２０が上方へ上がり開閉扉１８が前側へ傾倒して球入口２を開成する。
【００１６】
前記球入口２の上下寸法は、例えばパチンコ球の直径の２倍とほぼ同じ寸法に設定され、かつ前記球入口２の下縁は前記球検出器８の下面と同一高さ位置となるように選ばれる。すなわち、球入口２をパチンコ球が通過でき支障をきたさない範囲内で開閉扉１８の軸着部１９，２４が球検出器８の厚み分の中に位置させることができ、これにより装置本体の上下寸法を極力短くすることができる。
【００１７】
本発明は上記構成からなり、次に作用について説明する。図７は本発明が適用されるパチンコ遊技機の正面図である。図において、４０はパチンコ遊技機Ｐにおける木製の外枠であって、その前面に前枠４１が回動自在に装着される。前記前枠４１には窓口（図示せず。）が開設され、該前枠４１の裏面に配置固定される遊技盤４２前面の遊技部４２ａが前記窓口に臨むようになっている。前記前枠４１の前面には、遊技盤４２の遊技部４２ａを覆う２枚の透明板であるガラス板４３を備えた透明板保持枠４４が回動可能に装着される。また、透明板保持枠４４の下方に打球供給皿４５を設けた前板４６が装着され、前枠４１の下部前面には、余剰球受皿４７が設けられると共にその一側に操作ハンドル４８が設けられている。
【００１８】
前記遊技盤４２の前面に、遊技部４２ａを囲うようにして内側ガイドレール４９ａと外側ガイドレール４９ｂとが渦巻き状に配設される。前記遊技部４２ａには、例えば、ほぼ中央に表示部５０ａを備えた可変表示装置５０が配置され、また、その下方にパチンコ球の入賞により前記表示部５０ａの文字、数字、図形等の表示を変動表示させる始動入賞口５１が配置される。更に、その下方に本発明の遊技球入賞装置Ａが装着される。
【００１９】
そして、前記始動入賞口５１にパチンコ球が入賞することにより可変表示装置５０の表示部５０ａの表示が変動する。次いで、その表示が一定の時間経過後に停止して特定の表示（例えば「７７７」）を示し、遊技者にとって有利な特別遊技状態になったとき、一定の条件の下で開閉扉１８が所定回数開成され一度に多くの入賞球が得られようになっている。すなわち、図８（イ）に示すように第二電磁ソレノイド２６が励磁してそのプランジャー２８が巻装されるスプリングの付勢に抗して収縮すると共に摺動板３１が後退する。これにより、レバー部材３４の係止溝３９が上方へ上がると共に係止ピン２０も上方へ上がり、これに伴いパチンコ球Ｂが受けられるように開閉扉１８が前方ヘ所定の角度傾倒する。また、これと共に案内板２１も前側へ傾倒する。この状態では、案内板２１の上面は球誘導部５の底部の誘導板４ｂの上面とほぼ連なるようになっており、その上面で受け止められるパチンコ球Ｂが転動して球入口２内へ円滑に送り込まれる。更に、この際、開閉扉１８の上端縁１８ｂは、遊技盤４２の前面を覆う透明板保持枠４４のガラス板４３からほぼ５ｍｍ以内に位置する。
【００２０】
開閉扉１８が前側へ傾倒し球入口２が開成されると、前記第一電磁ソレノイド１５が励磁してそのプランジャー１６を収縮させ、これに伴い図５鎖線に示すように作動枠１７すなわち作動板１７ａが一側外側へ摺動する。そして、作動板１７ａにより係合杆１３が押され止部材１１が回動して止板部１１ｂをその自重に抗して跳ね上げ、特別入賞口７ｂにもパチンコ球Ｂが入賞できるようになる。この状態では、開閉扉１８に受け止められるパチンコ球Ｂは、球入口２に流入して球誘導部５内に入り、更に球通口６を介して一般入賞口７ａまたは特別入賞口７ｂのいずれかに入賞する。特別入賞口７ｂに一個のパチンコ球Ｂが入賞すると、第一電磁ソレノイド１５が消磁して図５実線に示すように止板部１１ｂが特別入賞口７ｂの上面とほぼ平行となる位置まで下方へ回動し、特別入賞口７ｂへのそれ以上のパチンコ球Ｂの入賞を阻止する。通常、球入口２が開成している間に特別入賞口７ｂに少なくとも１個パチンコ球Ｂが入賞すると、球入口２が閉成後再び開成するようになっている（この動作は一定の条件で１６ラウンド繰り返される。）。前記のように特別入賞口７ｂに一個のパチンコ球Ｂしか入賞させないのは、特別入賞口７ｂへのパチンコ球Ｂの入賞する入賞確率は３０パーセント以内に抑えることという制約があるからである。
【００２１】
そして、一般入賞口７ａまたは特別入賞口７ｂに合わせて１０個のパチンコ球が入賞すると、図８（ロ）に示すように第二電磁ソレノイド２６が消磁し巻装されるスプリングの付勢によってプランジャー２８が突出しレバー部材３４の係止溝３９を下方へ回動させる。これにより、開閉扉１８と共に案内板２１が後側に起立して球入口２が閉成される。
【００２２】
図９（イ）（ロ）は開閉扉の他の実施の形態を示すものである。なお、本実施の形態の開閉扉１８と同一部位は同一番号を付すことによって詳しい説明は省略する。この開閉扉５３は、主板部５３ａを案内部としており、その裏面が前記案内板２１の上面と同じ形状に成形される。また、図９（ロ）に示すように開閉扉５３の前面は側断面がほぼＶ字型に窪んでいる。このように案内部である主板部５３ａが開閉扉５３に一体に成形されることから、本実施の形態のような別体としての案内板２１が不要になり、製作や組付けが簡単になるばかりか製作コストも低廉になし得る。なお、図示は省略するが前記開閉扉５３の前面には所望の図柄が表示される化粧板を取り付けるようにしても良い。
【００２３】
本発明は、開閉扉１８，５３の軸着部を一般・特別入賞口７ａ，７ｂの上面よりも下方に配置するようにしたので、その分装置本体の上下寸法を極力短くすることができ、狭いスペースにも遊技球入賞装置Ａが容易に装着できる。しかも、前記開閉扉１８，５３の裏面に、別体としての案内板２１またはこれと同じ形状の主板部５３ａを一体に設けるようにしたので、開閉扉１８，５３が前側へ傾倒したとき上面で受け止められるパチンコ球を転動させて球入口２内へ円滑に送り込むことができ、球詰まりを起こすようなことはない。
【００２４】
【発明の効果】
以上説明したように本発明は、開閉扉の軸着部を入賞口の上面よりも下方に配置し、前記開閉扉の裏面に該開閉扉が前側へ傾倒したとき上面で受け止められるパチンコ球を転動させて球入口内へ円滑に送り込む案内部を設けるようにしたので、前記軸着部を下げた分装置本体の上下寸法を極力短くすることができ、狭いスペースにも遊技球入賞装置が容易に装着できるという効果がある。
【００２５】
また、開閉扉の裏面に案内部を設けるようにしたので、前記開閉扉が前側へ傾倒したとき上面で受け止められるパチンコ球を転動させて球入口内へ円滑に送り込むことができる。
【図面の簡単な説明】
【図１】本発明に係る遊技球入賞装置の斜視図。
【図２】同分解斜視図。
【図３】同一部切欠平面図。
【図４】図３のＷ−Ｗ線断面図。
【図５】図３のＸ−Ｘ線断面図。
【図６】図３のＹ−Ｙ線断面図。
【図７】本発明が適用されるパチンコ遊技機の正面図。
【図８】（イ）遊技球入賞装置の作用を示す側面断面図。
（ロ）遊技球入賞装置の作用を示す側面断面図。
【図９】（イ）他の実施の形態に係る開閉扉の斜視図。
（ロ）（イ）のＺ−Ｚ線断面図。
【符号の説明】
１                  取付板
２                  球入口
７ａ                一般入賞口
７ｂ                特別入賞口
８                  球検出器
１８                開閉扉
１９                軸着部（軸孔）
２１                案内部（案内板）
２４                軸着部（軸ピン）
５３                開閉扉
５３ａ              案内部（主板部）
Ａ                  遊技球入賞装置
Ｂ                  パチンコ球
【図１】
2004357930.tif 000003
【図２】
2004357930.tif 000004
【図３】
2004357930.tif 000005
【図４】
2004357930.tif 000006
【図５】
2004357930.tif 000007
【図６】
2004357930.tif 000008
【図７】
2004357930.tif 000009
【図８】
2004357930.tif 000010
【図９】
2004357930.tif 000011